(57)【特許請求の範囲】
【請求項１】
原稿からの反射光を電気信号に変換する光電変換手段と、
前記光電変換手段の出力信号のサンプリングを行い、デジタル画像データを出力する信号処理手段と、
前記信号処理手段が前記光電変換手段の出力信号をサンプリングするタイミングを複数設定するサンプリングタイミング設定手段と、
前記サンプリングタイミング設定手段により設定された複数のタイミングのそれぞれによって前記信号処理手段によりサンプリングされたデジタル画像データそれぞれにおけるばらつき度合いを示す統計量を算出する算出手段と、
前記算出手段によって算出された前記複数のタイミングのそれぞれに対応するばらつき度合いを示す統計量から所定条件のばらつき度合いを示す統計量を検出し、該検出された所定条件のばらつき度合いを示す統計量に対応するタイミングを、前記信号処理手段が前記光電変換手段の出力信号をサンプリングするタイミングとして決定するサンプリングタイミング決定手段と、
を備えることを特徴とする画像読み取り装置。
【請求項２】
前記複数のタイミングは前記タイミングの位相が異なることを特徴とする請求項１記載の画像読み取り装置。
【請求項３】
前記ばらつき度合いを示す統計量は分散であることを特徴とする請求項１又は２記載の画像読み取り装置。
【請求項４】
前記ばらつき度合いを示す統計量が分散である際、前記サンプリングタイミング決定手段は、前記所定条件のばらつき度合いを示す統計量として最小分散値を検出するようにしたことを特徴とする請求項３記載の画像読み取り装置。
【請求項５】
前記信号処理手段は相関２重サンプリングによって前記光電変換手段の出力信号のサンプリングを行うことを特徴とする請求項１〜４のいずれか１項に記載の画像読み取り装置。
【請求項６】
前記原稿を照明する光源を点灯させた状態と前記光源を消灯した状態の各々において、前記算出手段は前記ばらつきの度合いを示す統計量を算出し、
前記サンプリングタイミング決定手段は、前記光源を点灯させた状態と前記光源を消灯した状態のそれぞれに対する前記所定条件であるサンプリングタイミング決定条件で前記信号処理手段が前記光電変換手段の出力信号をサンプリングするタイミングを決定することを特徴とする請求項３記載の画像読み取り装置。
【請求項７】
原稿からの反射光を電気信号に変換する光電変換手段と、前記光電変換手段の出力信号のサンプリングを行い、デジタル画像データを出力する信号処理手段とを有する画像読み取り装置のサンプリングタイミング決定方法であって、
前記信号処理手段が前記光電変換手段の出力信号をサンプリングするタイミングを複数設定するサンプリングタイミング設定工程と、
前記サンプリングタイミング設定工程で設定された複数のタイミングのそれぞれによって前記信号処理手段によりサンプリングされたデジタル画像データそれぞれにおけるばらつき度合いを示す統計量を算出する算出工程と、
前記算出工程で算出された前記複数のタイミングのそれぞれに対応するばらつき度合いを示す統計量から所定条件のばらつき度合いを示す統計量を検出し、該検出された所定条件のばらつき度合いを示す統計量に対応するタイミングを、前記信号処理手段が前記光電変換手段の出力信号をサンプリングするタイミングとして決定するサンプリングタイミング決定工程と、
を備えることを特徴とする画像読み取り装置のサンプリングタイミング決定方法。
【発明の詳細な説明】
【技術分野】
【０００１】
本発明は、原稿からの反射光を電気信号に変換する光電変換手段のサンプリングタイミングを決定するものに関する。
【背景技術】
【０００２】
ＣＣＤラインセンサ等の光電変換デバイスより出力されるアナログ画像信号はその後段に配置されたアナログ処理回路によりサンプリングされ、ＡＤ変換器によりデジタル変換されてデジタル画像データになる。
【０００３】
最近の画像読み取り装置では、ＣＣＤ専用信号処理ＩＣが使用されることが多い。このＩＣは、サンプリング処理機能とＡＤ変換機能、及び信号レベルが所定値になるよう自動的にゲイン処理を行い、センサのオプティカルブラックレベル（遮光画素レベル）を参照して自動的に黒レベルを補正する機能を有する。
【０００４】
ＣＣＤラインセンサから出力されるアナログ画像信号は一般に２つのモード（方法）でサンプリングされる。
【０００５】
ひとつは、いわゆるサンプルホールドモードである。このモードでは、ＣＣＤラインセンサ出力信号の入射光に応じて大小変化する部分をサンプリングし、サンプリングした結果とＣＣＤラインセンサ専用信号処理ＩＣの内部等で生成される基準電圧の差分を画像信号としてＡＤ変換する。
【０００６】
もうひとつは、いわゆる相関二重サンプリングモードである。このモードでは、ＣＣＤラインセンサ出力信号の入射光に応じて大小する部分と、入射光に応じて変動しない部分（一般にフィードスルー部、ペディスタル部と呼ばれる）の２カ所をサンプリングし、両サンプリング信号の差分を画像信号としてＡＤ変換する。
【０００７】
どちらのサンプリング方法においても、高画質な画像読み取りを安定して行うためには、ＣＣＤラインセンサの出力信号波形が安定した領域で信号をサンプリングすることが必要である。
【０００８】
図１は、ＣＣＤラインセンサ出力信号とそのサンプリングタイミングを模式的に示す図である。
【０００９】
上述した相関二重サンプリングの例が示される。（ａ）はＣＣＤラインセンサ出力信号である。（ｂ）の信号波形はフィードスルー部をサンプリングするためのＳＨＰ信号、（ｃ）は信号出力部をサンプリングするためのＳＨＤ信号である。
【００１０】
図１にて、期間Ａは、ＣＣＤ出力信号のリセット期間、即ち、前画素での電荷電圧変換部のコンデンサ電位をリセットする期間であり、通常、ＣＣＤラインセンサに入力されるリセット信号により制御される。
【００１１】
期間Ｂはフィードスルー部である。ＣＣＤラインセンサに画素毎のクランプ機能がある場合には、期間Ｂにクランプ信号が入力され、所定の電圧レベルにクランプされる。この期間はＣＣＤラインセンサへの入射光に感度はなく、常に一定の電圧レベルとなる。相関二重サンプリングの際の一方のサンプリングは、ＳＨＰ信号の立下りエッジにてこの期間で行われる。
【００１２】
期間Ｃは、ＣＣＤラインセンサへの入射光量に応じて電圧レベルが変動する信号出力期間である。相関二重サンプリングの際のもう一方のサンプリングは、ＳＨＤ信号によりこの期間で行われる。
【００１３】
尚、サンプルホールドモードによるサンプリングを行う際は、ＳＨＤ信号により期間ＣでのＣＣＤラインセンサ出力信号をサンプリングし、ＳＨＰ信号により別途生成される基準電圧のサンプリングを行う。
【００１４】
サンプリング信号はタイミングジェネレータ回路により生成、出力される。タイミングジェネレータ回路は、ＡＳＩＣ等のカスタムＩＣで実現したり、ＣＣＤ信号処理ＩＣの機能のひとつとして用意されるものである。タイミングジェネレータは、動作設定用のレジスタを有しており、ＣＰＵ等によるレジスタ設定で種々のタイミングを生成することが可能である。
【００１５】
製品設計時にＣＣＤ出力信号を観測し、そのＣＣＤ出力信号タイミングに合わせて、タイミングジェネレータから出力されるＳＨＰ信号、ＳＨＤ信号が最適になるよう、タイミングジェネレータのレジスタ設定を変更し、位相調整を行う。決定されたタイミングジェネレータへのレジスタ設定は、ファームウェアとして記憶されるので、タイミングジェネレータからは常に所定のタイミングの信号が出力されるようになっている。
【００１６】
読み取り生産性を上げようとした場合、読み取り速度を上げるべく、ＣＣＤラインセンサの駆動速度が速くなるため、図１の期間Ａ，Ｂ，Ｃの時間が短くなる。その分、サンプリングを行う期間である期間Ｂと期間Ｃの時間は短くなり、その結果、期間Ｂと期間ＣにおけるＣＣＤ出力信号の安定期間も短くなり、より高精度なサンプリングタイミング制御が必要になる。
【００１７】
しかしながら、サンプリング信号がタイミングジェネレータから出力され、ＣＣＤ信号処理ＩＣまで伝達される間に、例えば、バッファ等が使用されている場合は、信号出力タイミングに遅延等が発生することがある。即ち、バッファＩＣ自体の製造ばらつきや、バッファＩＣの自己発熱、周囲の発熱部材の影響を受けて温度変動が生じるからである。
【００１８】
更に、タイミングジェネレータとＣＣＤ信号処理ＩＣまでの間にケーブル伝送がある場合には、伝送手段のインピーダンスばらつきにより、サンプリング信号の波形が機体によりばらつく可能性もある。
【００１９】
その結果、ＣＣＤ出力信号に対して、最適なサンプリング位置でのサンプリングができず、画像データの読み取りばらつきが発生するといった画質低下が生じてしまうことがある。
【００２０】
また、ＣＣＤラインセンサの駆動速度を上げた場合、ＣＣＤを転送不良なく駆動すべく、大電流でＣＣＤを駆動しなくてはならない。その結果、ＣＣＤを駆動するクロック信号の立ち上がり、立下りエッジに同期したリンギングノイズがＣＣＤ出力波形に重畳してしまうことがある。
【００２１】
このリンギングノイズ発生位置が信号サンプリングタイミングと近い場合、リンギングノイズの影響で適切なサンプリングが行えず、画像データの読み取りばらつきが発生するといった画質低下が生じてしまうことがある。
【００２２】
特許文献１には、以下の機能を有する画像読取装置が提案されている。
【００２３】
即ち、特許文献１記載の技術では、画像データに対して、平均化データ生成手段により得られた補正基準データとピークホールドデータ生成手段により得られた補正基準データの差を算出する。そして、算出した差が所定値以上であるか否かを判断することによって画像データに重畳されているノイズの大きさを判定する。
【特許文献１】特開平１０-２７１３２８号公報
【発明の開示】
【発明が解決しようとする課題】
【００２４】
上述の従来技術では、ランプを含む光学系及び電気回路に起因する画像ノイズや光源の光量低下を検出することができるが、ＣＣＤ出力信号のサンプリング位置に起因するノイズ等の画質劣化要因を検知、判定することは困難である。
【００２５】
本発明は、原稿からの反射光を電気信号に変換する光電変換手段のサンプリングタイミングの最適化を図り、原稿を良好に読み取ることができるようにすることを目的とする。
【課題を解決するための手段】
【００２６】
上記目的を達成するために、本発明による画像読み取り装置は、原稿からの反射光を電気信号に変換する光電変換手段と、前記光電変換手段の出力信号のサンプリングを行い、デジタル画像データを出力する信号処理手段と、前記信号処理手段が前記光電変換手段の出力信号をサンプリングするタイミングを複数設定するサンプリングタイミング設定手段と、前記サンプリングタイミング設定手段により設定された複数のタイミングのそれぞれによって前記信号処理手段によりサンプリングされたデジタル画像データそれぞれにおけるばらつき度合いを示す統計量を算出する算出手段と、前記算出手段によって算出された前記複数のタイミングのそれぞれに対応するばらつき度合いを示す統計量から所定条件のばらつき度合いを示す統計量を検出し、該検出された所定条件のばらつき度合いを示す統計量に対応するタイミングを、前記信号処理手段が前記光電変換手段の出力信号をサンプリングするタイミングとして決定するサンプリングタイミング決定手段と、を備えることを特徴とする。
【００２７】
また、本発明によるサンプリングタイミング決定方法は、原稿からの反射光を電気信号に変換する光電変換手段と、前記光電変換手段の出力信号のサンプリングを行い、デジタル画像データを出力する信号処理手段とを有する画像読み取り装置のサンプリングタイミング決定方法であって、前記信号処理手段が前記光電変換手段の出力信号をサンプリングするタイミングを複数設定するサンプリングタイミング設定工程と、前記サンプリングタイミング設定工程で設定された複数のタイミングのそれぞれによって前記信号処理手段によりサンプリングされたデジタル画像データそれぞれにおけるばらつき度合いを示す統計量を算出する算出工程と、前記算出工程で算出された前記複数のタイミングのそれぞれに対応するばらつき度合いを示す統計量から所定条件のばらつき度合いを示す統計量を検出し、該検出された所定条件のばらつき度合いを示す統計量に対応するタイミングを、前記信号処理手段が前記光電変換手段の出力信号をサンプリングするタイミングとして決定するサンプリングタイミング決定工程と、を備えることを特徴とする。
【発明の効果】
【００２８】
本発明によれば、光電変換手段の出力信号のサンプリングタイミングの最適化を図り、原稿を良好に読み取ることができる。
【発明を実施するための最良の形態】
【００２９】
以下、本発明の実施の形態を図面を参照しながら詳細に説明する。
【００３０】
図２は、本発明の実施の形態に係る画像読み取り装置の要部ブロック図である。
【００３１】
図２において、本画像読み取り装置は、ＣＣＤラインセンサ２０１、ＣＣＤ信号処理部（信号処理手段）２０２、タイミングジェネレータ２０３、ＣＰＵ２０４、画像処理部２０５を備える。ここで、ＣＣＤラインセンサ２０１は、原稿からの反射光を電気信号に変換する光電変換手段である。
【００３２】
ＣＣＤラインセンサ２０１の出力信号は、エミッタフォロワ回路（図示せず）等でインピーダンス変換を行った後、ＣＣＤ信号処理部２０２に入力される。ＣＣＤ信号処理部２０２は、ＣＣＤ出力信号をサンプリングする回路、及びＡＤコンバータ等により構成される。
【００３３】
ＣＣＤ信号処理部２０２でのＣＣＤ出力信号サンプリングを制御するためのサンプリング信号はタイミングジェネレータ２０３から出力される。タイミングジェネレータ２０３は、内部に動作設定用のレジスタが用意されており、内部レジスタ値の変更により、出力する信号タイミングの調整が可能な構成となっている。
【００３４】
レジスタ値の変更はＣＰＵ２０４により行われる。尚、タイミングジェネレータ２０３からはＣＣＤラインセンサ２０１を駆動するための信号も出力される。
【００３５】
ＣＰＵ２０４は、タイミングジェネレータ２０３、画像処理部２０５に対するレジスタ設定、制御を行うものである。尚、画像処理部２０５が有するラインメモリ２０６はリードアクセスが可能なように構成されており、ＣＰＵ２０４にてラインメモリデータを参照することができる。
【００３６】
画像処理部２０５は、ＣＣＤ信号処理部２０２のデジタル画像データに対してシェーディング補正等、所定の画像処理を行うものである。画像処理部２０５後の画像データは後段のプリンタ画像処理部（図示せず）等に送られる。
【００３７】
画像処理部２０５にはラインメモリ２０６が搭載されている。ラインメモリ２０６はＣＣＤラインセンサ２０１の画素数、デジタル画像データのビット数、及び画像データを所定ライン分加算、ビットシフト平均処理する分の容量が用意されている。
【００３８】
尚、タイミングジェネレータ２０３、画像処理部２０５は図示しない外部クロック手段からの基準クロックにて動作しており、また互いに同期関係を保って動作している。
【００３９】
ＣＰＵ２０４は、タイミングジェネレータ２０３に対して、ＣＣＤラインセンサ２０１、ＣＣＤ信号処理部２０２に所定の駆動信号を出力するようにレジスタ設定等の制御を行う。
【００４０】
タイミングジェネレータ２０３からの制御信号により、ＣＣＤラインセンサ２０１、ＣＣＤ信号処理部２０２は読み取り処理動作を開始する。ＣＣＤ信号処理部２０２より出力される信号は、タイミングジェネレータ２０３からのライン同期信号に基づいて、主走査１ライン分のデジタル画像データとしてラインメモリ２０６に保持される。
【００４１】
ラインメモリ２０６への画像データ書き込みに際しては、主走査１ライン分の画像データを２のべき乗で指定されるライン数分加算し、指定されたライン数に応じたビットシフト処理を行うことにより平均化データを生成する。
【００４２】
ラインメモリ２０６は、ＣＰＵ２０４により内部データを参照可能な構成となっているので、ＣＰＵ２０４は、ラインメモリ２０６内の画像データを参照して、主走査１ライン画像データに対する分散、標準偏差、平均といった統計量を算出可能である。統計量算出機能は、ＣＰＵ２０４によるソフトウェア処理によって実現でき、画像処理部にハードウェアとして実装することも可能である。
【００４３】
ＣＣＤ信号処理部２０２へのサンプリングクロック制御について説明する。
【００４４】
ＣＣＤ信号処理部２０２に供給するサンプリングクロック信号は、タイミングジェネレータ２０３に対するＣＰＵ２０４によるレジスタ設定で立ち上がり、立ち下がりタイミングが調整可能になっている。
【００４５】
図３は、図２におけるタイミングジェネレータから供給されるサンプリングクロック信号ＳＨＰ、ＳＨＤを示す図である。
【００４６】
サンプリング信号ＳＨＰ、ＳＨＤのＡ、Ｂ、Ｃはそれぞれタイミングをずらした信号である。各サンプリング信号によるＣＣＤ出力信号（ＣＣＤラインセンサ２０１の出力信号）のサンプリング位置は図中矢印で示した位置となる。
【００４７】
本発明の画像読み取り装置では、最適なサンプリングタイミングを決定するため、サンプリングクロック調整モードが用意されている。
【００４８】
具体的には、前述のサンプリング信号ＳＨＰ、ＳＨＤのＡ，Ｂ，ＣのようなＣＣＤ信号サンプリング位置を変更したサンプリング信号でサンプリングを行った結果、得られる画像データから、その画像データ値のばらつき、輝度レベル等を算出する。そして、算出結果から画質の善し悪しを判断し、画像読み取りに最適なサンプリングタイミングを決定する制御を行う。
【００４９】
図３のＳＨＰ信号Ａは、ＣＣＤ出力信号のフィードスルー部をサンプリングするための第１のサンプリングタイミングである。ＳＨＰ信号Ａにてサンプリングを実行して得られるデジタル画像データは、所定ライン分加算、平均処理され、ラインメモリ２０６に保持される。保持されたデータに対して、ＣＰＵ２０４は統計値のひとつである分散値、即ち、主走査１ライン画像データのばらつき度合いを算出するように制御される。
【００５０】
図４は、図２の画像読み取り装置によって実行されるサンプリングクロック調整モード時のサンプリングクロック調整処理の手順を示すフローチャートである。
【００５１】
本処理は、図２におけるＣＰＵ２０４の制御の下に行われる。
【００５２】
［ステップＳ４０１］
サンプリング信号のタイミングに関するレジスタ設定情報は複数用意されており、具体的にはタイミングジェネレータ２０３のレジスタ設定値が複数セット用意されている。例えば、図３のようなＳＨＰ信号（Ａ）（Ｂ）（Ｃ）、ＳＨＤ信号（Ａ）（Ｂ）（Ｃ）の各３種類の信号に対するレジスタ設定値が用意されている。
【００５３】
複数のレジスタ設定情報はサンプリングクロック調整モードの処理ループ数に対応して、順番に読み出され、タイミングジェネレータ２０３にレジスタ設定される。尚、レジスタ設定情報はソフトウェアプログラムとして実装されているものである。
【００５４】
ステップＳ４０１は、ＣＣＤラインセンサ２０１の出力信号をサンプリングするタイミングを複数設定するサンプリングタイミング設定手段として機能する。
【００５５】
［ステップＳ４０２］
読み出されたレジスタ設定情報はＣＰＵ２０４を介して、タイミングジェネレータ２０３にレジスタ設定され、レジスタ設定情報に基づいたサンプリング信号が出力される。同時にタイミングジェネレータ２０３からはＣＣＤ制御信号が出力されるので、ＣＣＤラインセンサ２０１、ＣＣＤ信号処理部２０２は動作状態になり、ＣＣＤ信号処理部２０２からはデジタル画像データが出力される。
【００５６】
［ステップＳ４０３］
ＣＣＤ信号処理部２０２から出力されるデジタル画像データの主走査１ライン分をラインメモリ２０６に保持する。ラインメモリ２０６に保持されるデータは所定ライン分の加算、平均処理がなされる。
【００５８】
［ステップＳ４０４］
ＣＰＵ２０４は、ラインメモリ２０６を参照し、１ライン分の画像データから所定の統計量を算出する。算出した統計量はレジスタ設定情報とともにワークＲＡＭ等に一旦保持される。
【００６０】
［ステップＳ４０５］
次のレジスタ設定情報があるか否かが判定される。次のレジスタ設定情報がある場合はステップＳ４０１に移行し、新しいレジスタ設定値にてステップＳ４０２以降の処理を行う。次のレジスタ設定情報がない場合は、すべてのレジスタ設定情報に基づいて一連の処理を行ったので、ステップＳ４０６へ移行する。
【００６２】
［ステップＳ４０６］
ステップＳ４０４にてワークＲＡＭに保持されている各レジスタ設定情報に対応した統計量データから、所定条件に合致する統計量データと、それに対応するレジスタ設定情報を見つける。
【００６３】
例えば、ステップＳ４０４で算出される統計量が分散だった場合、最小分散値をサーチする。分散値はデータのばらつき度合いを示す統計量であり、画像としてはこの値が小さいほど良好であるといえる。
【００６４】
最小分散値をサーチしたら、それに対応するレジスタ設定情報を取得する。また、統計量が平均値であった場合には、ターゲットとする平均値に最も近くなった条件のレジスタ設定情報を取得する。
【００６６】
［ステップＳ４０７］
ステップＳ４０６で取得したレジスタ設定情報に基づいて、サンプリング信号のタイミングを最適設定にすべく、タイミングジェネレータ２０３にレジスタ設定を行う。
【００６７】
尚、図３は、ＣＣＤ出力信号のサンプリング方法として相関２重サンプリングについて説明した図であるが、サンプリング方法はサンプルホールド方法でも差し支えない。サンプルホールドの場合はＳＨＤ信号（Ａ），（Ｂ），（Ｃ）の３種類のサンプリング信号で、上記シーケンスを実行すればよい。
【００６８】
このようにして、ＣＰＵ２０４は、デジタル画像データに基づいて最終のサンプリングタイミングを決定するサンプリングタイミング決定手段として機能する。
【００６９】
以上説明したように、本実施の形態によれば、サンプリングクロック調整モードにより、分散値の一番小さくなるサンプリングタイミングを見つけ出すことが可能になり、その結果に基づいたサンプリングタイミング設定を行うので、良好な画像読み取りが可能になる。
【００７０】
ところで、図１に示したように、光源の点灯状態と消灯状態では期間ＣでのＣＣＤ出力波形が変化する。
【００７１】
期間Ｃが始まる領域では、期間Ｂから信号出力が開始される過渡期間で、信号波形が安定しないため、この領域でサンプリングを行った場合、出力される画像データのばらつきが多くなるといった不具合が生じる。
【００７２】
そこで、本実施の形態では、図４に示すフローを、原稿を照明する光源を消灯させた状態と点灯させた状態で行い、ＣＣＤ信号出力の変化に応じた最適なサンプリング位置を実現する。
【００７３】
具体的には、ステップＳ４０１からステップＳ４０５までの処理を光源点灯状態と、消灯状態でそれぞれ実施し、各光源の状態でそれぞれ得られた統計量算出結果より、最適なサンプリング条件を決定するものである。
【００７４】
光源点灯時は、ＣＣＤラインセンサ２０１に光が入射するので、入射光量に応じたショットノイズが生じ、画像データから算出する分算値が大きくなる。そのため、統計量の算出を分算値で実施する場合、点灯時、消灯時それぞれの状態に対するサンプリングタイミング決定条件が用意され、その条件に合致したサンプリングタイミングを実際の画像読み取り時のサンプリングタイミングとして採用される。
【００７５】
尚、統計量として平均値算算出を行う場合も同様で、各条件で読み取りレベルが異なるので、それぞれの状態に応じたサンプリングタイミング決定条件が用意される。
【００７６】
光源点灯、消灯時でのＣＣＤラインセンサ２０１の出力信号波形に基づいてサンプリングタイミングを決定することにより、より最適なサンプリングタイミングが決定できるので、良好な画像読み取りが可能になる。
【００７７】
画像読み取り装置内の温度は設置される温度環境に依存するので、環境によって基板上のＩＣ等の実装部品温度が変動し、その結果、サンプリング信号のタイミングが若干変動する場合がある。このような場合は、上述のサンプリングタイミング条件決定制御を電源投入時の初期動作シーケンスとして実行してもよい。
【００７８】
更には、複写機等、画像読み取り装置の下段にプリント装置がある場合や、画像読み取り装置の使用頻度によっては、プリンタからのあおり温度、画像読み取り装置の部品の自己発熱等で温度条件が変動する。その結果、サンプリング信号のタイミングが若干変動する場合もある。このような温度変動の大きい状況においては、サンプリングタイミング条件決定制御を読み取りジョブ開始直前に実施してもよい。
【図面の簡単な説明】
【００８４】
【図１】ＣＣＤラインセンサ出力信号とそのサンプリングタイミングを模式的に示す図である。
【図２】本発明の実施の形態に係る画像読み取り装置の要部ブロック図である。
【図３】図２におけるタイミングジェネレータから供給されるサンプリングクロック信号ＳＨＰ、ＳＨＤを示す図である。
【図４】図２の画像読み取り装置によって実行されるサンプリングクロック調整モード時のサンプリングクロック調整処理の手順を示すフローチャートである。
【符号の説明】
【００８５】
２０１  ＣＣＤラインセンサ
２０２  ＣＣＤ信号処理部
２０３  タイミングジェネレータ
２０４  ＣＰＵ
２０５  画像処理部
２０６  ラインメモリ
【図１】
0005014029.tif 000002
【図２】
0005014029.tif 000003
【図３】
0005014029.tif 000004
【図４】
0005014029.tif 000005